(57)【特許請求の範囲】
【請求項１】
刃物が装着される駆動軸を設けた截断処理ケースの後部に、被截断物を該截断処理ケース内に送り込む搬送ベルトが水平に配置された搬送装置と、テンションロールを三角形の頂点とし先端ロールと駆動ロールとを下辺側に配置してそれらのロールに押えベルトが装着された押え装置を設け、該押えベルトの先端部は前記搬送ベルトの前部上面に向けて付勢されるように設けられ、さらに、押え装置の本体フレームに回転可能に取り付けた支持アームの下部を前記搬送装置の側枠に分離可能に固定してなるフードスライサーにおいて、
半径方向に高さの異なるカム面が形成されたカムを備えたカム軸を前記本体フレームの軸受片に揺動自由に設け、前記テンションロールを移動可能に設けたロール用フレームの下面の両端部に突設された支持脚片の長孔を該カム軸に夫々遊嵌すると共に、該ロール用フレームの下面に前記カムを接触させるように設け、前記カム軸に固定されたハンドルレバーの一方向への回転操作によって前記ロール用フレームを進出させたときに前記押えベルトが緊張し、他方、ハンドルレバーの前記方向と反対方向への回転操作によって前記ロール用フレームが後退して前方へ倒れると共に該押えベルトが弛緩し、かつ、前記側枠との連結を解いた支持アームを前記本体フレーム側に回転させて折り畳むことにより押え装置の一側方を開放した状態とし、その状態にて押えベルトを着脱することができるように構成したことを特徴とするフードスライサーにおける被截断物の押えベルトの着脱機構。
【発明の詳細な説明】
【０００１】
【発明の属する技術分野】
本発明は、フードスライサーにおける被截断物の押えベルトの着脱機構に関する。
【０００２】
【従来の技術】
従来のフードスライサーとして、例えば特開平６０−２２１２９７号公報には、刃物が装着される駆動軸を設けた截断処理ケースの後部に、被截断物を截断処理ケース内に送り込む搬送ベルトが水平に配置された搬送装置と、その搬送ベルトの前部上面に先端部が接近するように付勢された押えベルトを設けた押え装置を備え、押え装置の本体フレームに回転可能に取り付けた支持アームの下部を搬送装置の側枠に分離可能に固定した構造のものが開示されている。その押え装置は、テンションロールを三角形の頂点として先端ロールと駆動ロールとを下辺側に配置すると共に、そのテンションロールを調整ネジにより移動させて張力の調節を行う構造とされている。そして、押えベルトを着脱・交換する場合には、支持アームを側枠から分離させて押え装置の一側方を開放状態とすると共に、調整ネジを操作して押えベルトをたるませることにより同ベルトを外して新しい押えベルトを取り付け、再び支持アームを側枠に固定した後、調整ネジにより押えベルトの張りを調節することにより行うようにされている。
また、フードスライサーの他の形式の押え装置においては、テンションロールを三角形の頂点として先端ロールと駆動ロールとを下辺側に配置すると共に、そのテンションロールが調整ネジにより移動可能に設けられたロール用フレームを倒すことにより、押えベルトをたるませて外すようにされている。また、そのロール用フレームは、押え装置のフレームに設けた位置決め穴に固定用ピンを差し込むことにより起立した状態が保持されるようにされている。
【０００３】
【発明が解決しようとする課題】
従来の前者押え装置における押えベルトの着脱・交換は、調整ネジを操作して押えベルトをたるませて同ベルトを外し、新しい押えベルトを取り付けてから再び、調整ネジにより押えベルトの張りを調節しなければならないため、調整ネジによる操作が煩わしく、作業に不慣れな素人にとっては容易に行えなかった。
後者のものについては、調整ネジを操作して押えベルトを少したるませてからロール用フレームを倒すか、ベルトが張られたままの状態でロール用フレームを倒しベルトをたるませて外すかの何れかの方法が採られている。その調整ネジによる操作の場合には、前者の押えベルトの着脱と同様の不便さ、不都合を生じ、ベルトが張られたままの状態でロール用フレームを倒したときには、勢い余って手をフレームにぶつけて怪我を負うという危惧がある。また、ロール用フレームを起こして固定用ピンを位置決め穴に差し込むときに、押えベルトがきついと挿入が難しい。他方、押えベルトが緩いと固定用ピンの挿入は容易であるが、押えベルトの張りを調整しなおさなければならないという煩わしさを伴う。
【０００４】
この発明の目的は、押えベルトの着脱・交換操作を容易に行うことができるように操作性を向上させたフードスライサーにおける被截断物の押えベルトの着脱機構を提供することにある。
【０００５】
【課題を解決するための手段】
前記目的を達成するために請求項１に記載の発明は、刃物が装着される駆動軸を設けた截断処理ケースの後部に、被截断物を該截断処理ケース内に送り込む搬送ベルトが水平に配置された搬送装置と、テンションロールを三角形の頂点とし先端ロールと駆動ロールとを下辺側に配置してそれらのロールに押えベルトが装着された押え装置を設け、該押えベルトの先端部は前記搬送ベルトの前部上面に向けて付勢されるように設けられ、さらに、押え装置の本体フレームに回転可能に取り付けた支持アームの下部を前記搬送装置の側枠に分離可能に固定してなるフードスライサーにおいて、半径方向に高さの異なるカム面が形成されたカムを備えたカム軸を前記本体フレームの軸受片に揺動自由に設け、前記テンションロールを移動可能に設けたロール用フレームの下面の両端部に突設された支持脚片の長孔を該カム軸に夫々遊嵌すると共に、該ロール用フレームの下面に前記カムを接触させるように設け、前記カム軸に固定されたハンドルレバーの一方向への回転操作によって前記ロール用フレームを進出させたときに前記押えベルトが緊張し、他方、ハンドルレバーの前記方向と反対方向への回転操作によって前記ロール用フレームが後退して前方へ倒れると共に該押えベルトが弛緩し、かつ、前記側枠との連結を解いた支持アームを前記本体フレーム側に回転させて折り畳むことにより押え装置の一側方を開放した状態とし、その状態にて押えベルトを着脱することができるように構成したことを特徴とする。
【０００６】
【発明の作用及び効果】
（請求項１の発明）
ハンドルレバーを一方向へ回転させると、カムが回転してロール用フレームを下方に後退させるので押えベルトにたるみを生じ、これと同時に、このロール用フレームは前方に倒れる。ついで、搬送装置の側枠との連結を解いた支持アームを押え装置の本体フレーム側に回転させて折り畳んで押え装置の一側方を開放した状態とすることにより、押えベルトを外すことができる。
【０００７】
また、新しい押えベルトをテンションロールと他のロールに架けてから支持アームを回転させて元の側枠に固定した後、ハンドルレバーを前記方向と反対方向へ回転させると、カムが逆回転してロール用フレームを起立させて元の位置に進出させるので、押えベルトは緊張した状態にて装着される。
なお、押えベルトの張り調整については、ほとんど行う必要はないが、張り具合が適切でないときには調整ネジによりテンションロールを移動させて微調整を行うものとする。
【０００９】
このフードスライサーにおける被截断物の押えベルトの着脱機構は、ハンドルレバーの回転操作によって押えベルトを緊張させ又は押えベルトを弛緩させるように設けることにより、押えベルトの着脱・交換操作を軽い力で円滑に行うことができる。
【００１０】
【発明の実施の形態】
以下に、本発明の実施の形態例を図面に基づいて説明する。図１はフードスライサーの側面図、図２は押え装置の側面図、図３は図２のＡ矢視図、図４は本体フレームと支持アームとを分離して示す斜視図、図５はハンドルレバーを操作してロール用フレームを下方に後退させた状態を示す説明図、図６は図２の状態におけるカムの作用を示す説明図、図７は図５の状態におけるカムの作用を示す説明図、図８はロール用フレームを前方へ倒すと共に支持アームを本体フレーム側に回転させて折り畳んだ状態を示す説明図、図９はストッパー片を軸受片から離した状態を示す正面図、図１０は図９のＢ−Ｂ線断面図である。
【００１１】
図１において、フードスライサーの箱形本体１の前面には、刃物が装着される駆動軸（図示せず）を設けた截断処理ケース２が設けられ、その截断処理ケース２の後部に、大根やネギ等の被截断物をその截断処理ケース２内に送り込む搬送ベルト１４が水平に配置された搬送装置１０と、その搬送ベルト１４の前部上面に向けて押えベルト４８の先端部４８ａを付勢するように設けた押え装置２０が設けられている。
【００１２】
搬送装置１０は、前記本体１の側部に固定された左右一対の横長の側枠１１、１１の前後端部に、図示しない駆動装置により回転作動する駆動ロール１２と被動ロール１３とを夫々配置し、それらのロール１２、１３に搬送ベルト１４が架け渡されている。
【００１３】
押え装置２０の本体フレーム２１は、左右一対の側片２２、２３を間座２４で所定間隔に取り付けている。図４に示すように、一方の側片２２には、駆動ロール４７の回転軸４７ａを支持する軸孔２６が形成された軸受板２５を一体に固定している。他方の側片２３には、その回転軸４７ａを支持する軸孔３１及び支持孔３２が形成された軸受板３０を一体に設けている。３５は回転軸４７ａに遊嵌する嵌合孔３６と支持孔３７とを両端部に形成すると共に、その嵌合孔３６を中心とする円弧形長孔３８、３８を設けた支持アームである。
【００１４】
この支持アーム３５は、前記軸受板２５から突出する回転軸４７ａの端部に遊嵌され、押え板３９を介して蝶ネジ４０、４０を雌ネジ２７に螺着することにより、軸受板２５に対して回転可能に取り付けられている。そして、支持アーム３５は、前記搬送装置１０の側枠１１に固定された受け板１５の透孔１５ａに通されるピン１６を支持孔３７に対して抜き差しすることにより、その受け板１５に分離可能に固定されるように設けられている。また、支持アーム３５に対向するように設けられた軸受板３０は、図３に示すように、側枠１１に固定された受け板４１のピン４２を支持孔３２に遊嵌することにより支持されている。そして、本体フレーム２１の側片２２、２３間には、前部から順に先端ロール４５、中間ロール４６及び駆動ロール４７が取り付けられている。
【００１５】
５０は前記軸受板２５、３０の上部に夫々固定された軸受片５３、５４に遊嵌されて揺動自由に設けられたカム軸である。そのカム軸５０の中央部には、図６及び図７に示すように、軸心から半径方向に高い位置のカム面５１ａと低い位置のカム面５１ｂとが連続状に形成されたカム５１を備えている。そのカム軸５０の端部５０ａにはリング形のストッパー片５５を遊嵌し、同ストッパー片５５をガイドピン５５ａにより回転不能として軸方向に摺動可能に設ける。カム軸５０は、ストッパー片５５の側方に突設した係止片５６を前記本体フレーム２１の軸受片５３の側面５３ａに係合させることにより回転が阻止されるように設けられている。また、ストッパー片５５がその側面５３ａに係合しているときには、カム軸５０にばね５７で付勢されて出没するように設けられたボール５８が、ストッパー片５５の内面に形成された環状溝５５ｂに係合するように設けられている。５９はカム軸５０の端部５０ａに固定されたハンドルレバーである。
【００１６】
６１はテンションロール６０を調整ネジ６２、６２により上下方向に移動可能に設けたほぼＵ字形のロール用フレームである。そのロール用フレーム６１の下面６１ａの両端部には支持脚片６３、６３を突設し、それら支持脚片６３、６３に形成した長孔６４、６４を前記カム軸５０に夫々遊嵌すると共にその下面６１ａに前記カム５１を接触させるように設ける。ロール用フレーム６１は、図２又は図５の起立した姿勢において、前記軸受板２５の傾斜端面２５ａに当接して後方（右方向）に回転移動しないように設けられている。６５は支持脚片６３、６３と前記軸受片５３、５４の間に夫々介装されたスペーサである。
しかして、テンションロール６０を三角形の頂点として先端ロール４５と中間ロール４６及び駆動ロール４７とが下辺側に配置されるように設けられ、それらに押えベルト４８が装着される。
【００１７】
また、前記ピン１６、４２を支点として傾動自由とされたロール用フレーム６１の上部６１ｂには、截断処理ケース２の上方後部に取り付けたバネ７０の他端側のネジ部材７１を取り付け、押えベルト４８の先端部４８ａが搬送ベルト１４の前部上面に向けて付勢されるように設ける。
【００１８】
次に、上記構成になる被截断物の押えベルトの着脱機構ｘの作動について、図面に基づいて説明する。
（１）ハンドルレバー５９を反時計方向へ回転させると、カム５１の回転によりロール用フレーム６１が下方に後退して前方へ倒れる。これにより、押えベルト４８は弛緩する（図５、図７）。
（２）そこで、ピン１６を抜いて受け板１５との連結が解かれた支持アーム３５を本体フレーム２１側に回転させて折り畳む。
（３）（２）により、押え装置２０の一側方が開放状態とされるので、押えベルト４８を簡単に取り外し又は新しいものを取り付けることができる。
（４）新しいベルトに交換した場合、ハンドルレバー５９を時計方向へ回転させると、カム面５１ａがロール用フレーム６１の下面６１ａを押し上げるので、同フレーム６１は起立して上方に進出し押えベルト４８は張られた状態となる（図２、図６）。
【００１９】
以上のとおり、このフードスライサーにおける被截断物の押えベルトの着脱機構は、ハンドルレバーの回転操作によって押えベルトを緊張させ又は押えベルトを弛緩させるように設けているので、機械に不慣れな作業者でも押えベルトの着脱・交換操作を容易に行うことができる。
【図面の簡単な説明】
【図１】  フードスライサーの側面図
【図２】  押え装置の側面図
【図３】  図２のＡ矢視図
【図４】  本体フレームと支持アームとを分離して示す斜視図
【図５】  ハンドルレバーを操作してロール用フレームを下方に後退させた状態を示す説明図
【図６】  図２の状態におけるカムの作用を示す説明図
【図７】  図５の状態におけるカムの作用を示す説明図
【図８】  ロール用フレームを前方へ倒すと共に支持アームを本体フレーム側に回転させて折り畳んだ状態を示す説明図
【図９】  ストッパー片を軸受片から離した状態を示す正面図
【図１０】  図９のＢ−Ｂ線断面図
【符号の説明】
１→本体  ２→截断処理ケース
ｘ→被截断物の押えベルトの着脱機構
１０→搬送装置
１１→側枠  １４→搬送ベルト
２０→押え装置
２１→本体フレーム
３５→支持アーム
４５→先端ロール  ４７→駆動ロール
４８→押えベルト  ４８ａ→先端部
５０→カム軸  ５１→カム
５９→ハンドルレバー
６０→テンションロール  ６１→ロール用フレーム
６１ａ→下面
６３→支持脚片  ６４→長孔
【図１】
0003637563.tif 000002
【図２】
0003637563.tif 000003
【図３】
0003637563.tif 000004
【図４】
0003637563.tif 000005
【図５】
0003637563.tif 000006
【図６】
0003637563.tif 000007
【図７】
0003637563.tif 000008
【図８】
0003637563.tif 000009
【図９】
0003637563.tif 000010
【図１０】
0003637563.tif 000011